【手続補正書】
【提出日】平成29年9月26日(2017.9.26)
【手続補正１】
【補正対象書類名】特許請求の範囲
【補正対象項目名】全文
【補正方法】変更
【補正の内容】
【特許請求の範囲】
【請求項１】
マルチレイヤビデオデータを処理する方法であって、
ファイル中のトラックのためのメタデータを含むトラックボックスを備える前記ファイルを生成することを備え、
前記トラックのためのメディアデータは、サンプルのシーケンスを備え、前記サンプルの各々は、前記マルチレイヤビデオデータのビデオアクセスユニットであり、前記サンプルは、複数のコーディングされたピクチャを有する、
前記ファイルを生成することは、前記ファイル中に、サブサンプル情報ボックス中で与えられるサブサンプル情報のタイプを指定するフラグを含む前記サブサンプル情報ボックスを生成することを備え、
前記フラグが特定の値を有するとき、前記サブサンプル情報ボックスに対応するサブサンプルは、ちょうど１つのコーディングされたピクチャと、前記コーディングされたピクチャと関連付けられる０個以上の非ビデオコーディングレイヤ（ＶＣＬ）ネットワーク抽象化レイヤ（ＮＡＬ）ユニットとを含む、方法。
【請求項２】
前記サブサンプル情報ボックスを生成することは、
前記フラグが前記特定の値を有するとき、前記サブサンプル情報ボックスに、前記サブサンプルの前記ＶＣＬ  ＮＡＬユニットのすべてが廃棄可能かどうかを示す追加のフラグを含めることを備える、請求項１に記載の方法。
【請求項３】
前記サブサンプル情報ボックスを生成することは、
前記フラグが前記特定の値を有するとき、前記サブサンプル情報ボックスに、前記サブサンプルのＶＣＬ  ＮＡＬユニットのＮＡＬユニットタイプを示す追加の値を含めることを備え、
前記サブサンプルのすべての前記ＶＣＬ  ＮＡＬユニットは、同じＮＡＬユニットタイプを有する、請求項１に記載の方法。
【請求項４】
前記サブサンプル情報ボックスを生成することは、
前記フラグが前記特定の値を有するとき、前記サブサンプル情報ボックスに、前記サブサンプルの各ＮＡＬユニットのレイヤ識別子を示す追加の値を含めることを備える、請求項１に記載の方法。
【請求項５】
前記サブサンプル情報ボックスを生成することは、
前記フラグが前記特定の値を有するとき、前記サブサンプル情報ボックスに、前記サブサンプルの各ＮＡＬユニットの時間識別子を示す追加の値を含めることを備える、請求項１に記載の方法。
【請求項６】
前記サブサンプル情報ボックスを生成することは、
前記フラグが前記特定の値を有するとき、前記サブサンプル情報ボックスに、レイヤ間予測が前記サブサンプルのすべてのＶＣＬ  ＮＡＬユニットに対してイネーブルにされるかどうかを示す追加のフラグを含めることを備える、請求項１に記載の方法。
【請求項７】
前記サブサンプル情報ボックスを生成することは、
前記フラグが前記特定の値を有するとき、前記サブサンプル情報ボックスに、前記サブサンプル中のすべてのＮＡＬユニットがサブレイヤ非参照ピクチャのＶＣＬ  ＮＡＬユニットであるかどうかを示す追加のフラグを含めることを備える、請求項１に記載の方法。
【請求項８】
前記マルチレイヤビデオデータを符号化することをさらに備える、請求項１に記載の方法。
【請求項９】
マルチレイヤビデオデータを処理する方法であって、
ファイルから、前記ファイル中のトラックのためのメタデータを含むトラックボックスを取得することと、ここにおいて、前記トラックのためのメディアデータはサンプルのシーケンスを備え、前記サンプルの各々は前記マルチレイヤビデオデータのビデオアクセスユニットであり、前記サンプルは、複数のコーディングされたピクチャを有する、
前記ファイルから、サブサンプル情報ボックス中で与えられるサブサンプル情報のタイプを指定するフラグを含む前記サブサンプル情報ボックスを取得することと、を備え、
前記フラグが特定の値を有するとき、前記サブサンプル情報ボックスに対応するサブサンプルは、ちょうど１つのコーディングされたピクチャと、前記コーディングされたピクチャと関連付けられる０個以上の非ビデオコーディングレイヤ（ＶＣＬ）ネットワーク抽象化レイヤ（ＮＡＬ）ユニットとを含む、方法。
【請求項１０】
前記フラグが前記特定の値を有するとき、前記サブサンプル情報ボックスから、前記サブサンプルの前記ＶＣＬ  ＮＡＬユニットのすべてが廃棄可能かどうかを示す追加のフラグを取得することを備える、請求項９に記載の方法。
【請求項１１】
前記フラグが前記特定の値を有するとき、前記サブサンプル情報ボックスから、
前記サブサンプルのＶＣＬ  ＮＡＬユニットのＮＡＬユニットタイプ、前記サブサンプルのそのすべての前記ＶＣＬ  ＮＡＬユニットは、同じＮＡＬユニットタイプを有する、
前記サブサンプルの各ＮＡＬユニットのレイヤ識別子、
前記サブサンプルの各ＮＡＬユニットの時間識別子、
レイヤ間予測が前記サブサンプルのすべてのＶＣＬ  ＮＡＬユニットに対してイネーブルにされるかどうか、または、
前記サブサンプル中のすべてのＮＡＬユニットがサブレイヤ非参照ピクチャのＶＣＬ  ＮＡＬユニットであるかどうか
のうちの１つを示す追加の値を取得することを備える、請求項９に記載の方法。
【請求項１２】
前記コーディングされたピクチャがオペレーティングポイントを復号するために必要とされるという、前記サブサンプル情報ボックスにおいて指定される前記情報に基づく決定に応答して、サブビットストリームに前記サブサンプルのＮＡＬユニットを含めることと、
前記サブビットストリームを出力することと、
をさらに備える、請求項９に記載の方法。
【請求項１３】
マルチレイヤビデオデータを処理するためのビデオデバイスであって、
ファイル中のトラックのためのメタデータを含むトラックボックスを備える前記ファイルを生成するための手段を備え、
前記トラックのためのメディアデータは、サンプルのシーケンスを備え、前記サンプルの各々は、マルチレイヤビデオデータのビデオアクセスユニットであり、前記サンプルは、複数のコーディングされたピクチャを有する、
前記ファイルを生成するための手段は、前記ファイル中に、サブサンプル情報ボックス中で与えられるサブサンプル情報のタイプを指定するフラグを含む前記サブサンプル情報ボックスを生成するための手段を備え、
前記フラグが特定の値を有するとき、前記サブサンプル情報ボックスに対応するサブサンプルは、ちょうど１つのコーディングされたピクチャと、前記コーディングされたピクチャと関連付けられる０個以上の非ビデオコーディングレイヤ（ＶＣＬ）ネットワーク抽象化レイヤ（ＮＡＬ）ユニットとを含む、ビデオデバイス。
【請求項１４】
前記フラグが前記特定の値を有するとき、前記サブサンプル情報ボックスに、
前記サブサンプルの前記ＶＣＬ  ＮＡＬユニットのすべてが廃棄可能であるかどうかを示す追加のフラグ、
前記サブサンプルのＶＣＬ  ＮＡＬユニットのＮＡＬユニットタイプを示す追加の値、ここにおいて、前記サブサンプルのすべての前記ＶＣＬ  ＮＡＬユニットは同じＮＡＬユニットタイプを有する、
前記サブサンプルの各ＮＡＬユニットのレイヤ識別子を示す追加の値、
前記サブサンプルの各ＮＡＬユニットの時間識別子を示す追加の値、
前記サブサンプルのすべてのＶＣＬ  ＮＡＬユニットに対してレイヤ間予測がイネーブルにされるかどうかを示す追加のフラグ、または、
前記サブサンプル中のすべてのＮＡＬユニットがサブレイヤ非参照ピクチャのＶＣＬ  ＮＡＬユニットであるかどうかを示す追加のフラグ、
のうちの１つまたは複数を含めるための手段を備える、請求項１３に記載のビデオデバイス。
【請求項１５】
マルチレイヤビデオデータを処理するためのビデオデバイスであって、
ファイルから、前記ファイル中のトラックのためのメタデータを含むトラックボックスを取得するための手段と、ここにおいて、前記トラックのためのメディアデータはサンプルのシーケンスを備え、前記サンプルの各々はマルチレイヤビデオデータのビデオアクセスユニットであり、前記サンプルは、複数のコーディングされたピクチャを有する、
前記ファイルから、サブサンプル情報ボックス中で与えられるサブサンプル情報のタイプを指定するフラグを含む前記サブサンプル情報ボックスを取得するための手段と、を備え、
前記フラグが特定の値を有するとき、前記サブサンプル情報ボックスに対応するサブサンプルは、ちょうど１つのコーディングされたピクチャと、前記コーディングされたピクチャと関連付けられる０個以上の非ビデオコーディングレイヤ（ＶＣＬ）ネットワーク抽象化レイヤ（ＮＡＬ）ユニットとを含む、ビデオデバイス。
【請求項１６】
命令を記憶したコンピュータ可読データ記憶媒体であって、前記命令は、実行されると、１つまたは複数のプロセッサに、請求項１から１２のうちのいずれか一項に記載の方法を実行させる、コンピュータ可読データ記憶媒体。